(57)【要約】【課題】記録媒体における任意のトラックや任意のチャプターの最終部分の再生を行う場合に、目標とする再生位置を簡単な操作で素早く見つけ出すことができるようにすることで目標とする再生位置の検索性を高める。【解決手段】光ディスクの再生が行われているとき、ユーザが操作部４０に形成された複数の操作キーの中からエンドレビューキー４９を選択して押下すると、エンドレビューキー４９が押下された時点で再生中のチャプターの番号が確認される。そして、光ディスクに記録される管理情報に基づき、エンドレビューキー４９が押下された時点で再生中のチャプターの終了位置（即ち、当該チャプターの次のチャプターの開始位置）から当該チャプターの開始位置に向けて光ディスクの早戻し再生が行われる。【選択図】図２
2006294125.tif 000002
【特許請求の範囲】
【請求項１】
時間的に連続した情報が所定時間単位で複数のブロックに分けて記録されるとともに各ブロックの開始位置を示すアドレスと各ブロックの記録時間とが管理情報として記録される記録媒体の再生を行う再生装置において、
指定されたブロックの終了位置を示すアドレスを前記記録媒体に記録される前記管理情報に基づき算出するアドレス算出手段と、
前記アドレス算出手段により算出される指定されたブロックの終了位置を示すアドレスに基づき、指定されたブロックの最終部分の早戻し再生を行う早戻し再生手段と、
を備え、
前記記録媒体の再生が行われているときに所定の操作が成されると、再生が行われているブロックの終了位置を示すアドレスが前記アドレス算出手段により算出されるとともに、前記アドレス算出手段により算出された再生が行われているブロックの終了位置を示すアドレスに基づき、再生が行われているブロックの最終部分の早戻し再生が前記早戻し再生手段により行われることを特徴とする再生装置。
【請求項２】
前記記録媒体の早戻し再生を行うための早戻し再生キーを備え、
前記早戻し再生手段による前記記録媒体の早戻し再生動作が、前記早戻し再生キーが押下されることにより実行されることを特徴とする請求項１に記載の再生装置。
【請求項３】
前記早戻し再生手段が、前記アドレス算出手段により算出される指定されたブロックの終了位置を示すアドレスに基づき、指定されたブロックの終了位置から前記記録媒体の早戻し再生を行うことを特徴とする請求項１または請求項２に記載の再生装置。
【請求項４】
前記早戻し再生手段が、前記アドレス算出手段により算出される指定されたブロックの終了位置を示すアドレスに基づき、指定されたブロックの終了位置よりも所定時間だけ前の位置から前記記録媒体の早戻し再生を行うことを特徴とする請求項１または請求項２に記載の再生装置。
【請求項５】
前記アドレス算出手段が、前記記録媒体に記録される前記管理情報に基づき、再生が行われているブロックの開始位置を示すアドレスと当該ブロックの記録時間とから、当該ブロックの終了位置を示すアドレスを算出することを特徴とする請求項３または請求項４に記載の再生装置。
【請求項６】
再生が行われているブロックが前記記録媒体に記録された最後のブロックであるか否かを判定するブロック判定手段を備え、
前記ブロック判定手段が、再生が行われているブロックが前記記録媒体に記録された最後のブロックであると判定したときは、
前記アドレス算出手段が、前記記録媒体に記録される前記管理情報に基づき、再生が行われているブロックの開始位置を示すアドレスと当該ブロックの記録時間とから、当該ブロックの終了位置を示すアドレスを算出するとともに、
前記ブロック判定手段が、再生が行われているブロックが前記記録媒体に記録された最後のブロックでないと判定したときは、
前記早戻し再生手段が、前記記録媒体に記録される前記管理情報に基づき、再生が行われているブロックの次のブロックの開始位置を示すアドレスから、再生が行われているブロックの終了位置を示すアドレスを算出することを特徴とする請求項３または請求項４に記載の再生装置。
【発明の詳細な説明】
【技術分野】
【０００１】
本発明は、音声情報や画像情報が記録された記録媒体の再生を行う再生装置に関する。
【背景技術】
【０００２】
近年、コンパクトディスク（ＣＤ）またはミニディスク（ＭＤ）などのディスク状記録媒体を用いた音声再生装置やデジタル多目的ディスク（ＤＶＤ）などのディスク状記録媒体を用いた映像再生装置が広く普及している。そして、これらの再生装置に用いられるディスク状記録媒体は、その用途の違いにより、データの書き換えを行うことが不可能な再生専用型と、ユーザがデータの記録を行うことができるものとして、１回だけデータの記録を行うことができる追記型及び自由にデータの書き換えを行うことができる書き換え型と、に分類される。
【０００３】
また、これらのディスク状記録媒体には、通常、トラック単位で音声データが記録されるとともにチャプター単位で映像データが記録される。即ち、ディスク状記録媒体に音声データが記録される場合には１曲が１トラックとされ、また、ディスク状記録媒体に映像データが記録される場合にはある程度のまとまった時間分の映像が１チャプターとされる。そして、ディスク状記録媒体に記録される音楽や映像の中から所望の音楽を選択して聴くための操作や所望の映像を選択して視聴するための操作がユーザにより成されると、ディスク状記録媒体における目標位置へのサーチ動作が行われて、ユーザが希望するトラックやチャプターの頭出しが瞬時に行われる。
【０００４】
このように構成されるディスク状記録媒体を用いた再生装置として、再生させたい目的部分がある場合に、ステップＦＦキーまたはステップＲＥＷキーを１回だけ押下してＦＦ方向またはＲＥＷ方向に所定時間だけ再生位置を移動させることにより、ユーザが求める再生位置へのアクセスを簡単な操作で迅速に行えるようにしたものが提案されている（特許文献１参照）。
【特許文献１】特開平９−１４７５３４号公報
【発明の開示】
【発明が解決しようとする課題】
【０００５】
ところで、これらのコンパクトディスク（ＣＤ）やミニディスク（ＭＤ）、或いは、デジタル多目的ディスク（ＤＶＤ）などを用いた再生装置において、再生時間が長い曲の最終部分を聴く場合や映像における任意のチャプターの最終部分を視聴する場合などに、ユーザが非常に不便を感じるという問題があった。
【０００６】
すなわち、任意のトラックＡや任意のチャプターＡの最終部分を再生する場合、まず、トラックＡやチャプターＡの早送り再生または早戻し再生を続けながら音声や映像を確認して目標とする再生位置を探し出す方法が挙げられる。しかしながら、この方法では、目標とする再生位置を探し出すのに相当な時間を要する。また、次に、トラックＡの次のトラックであるトラックＢやチャプターＡの次のチャプターであるチャプターＢの頭出しを行った後で早戻し再生を行うことにより、トラックＢやチャプターＢの開始位置を通り過ぎ、トラックＡやチャプターＡの終了位置から前に戻って音声や映像を確認しながら目標とする再生位置を探し出す方法が挙げられる。しかしながら、この方法では、トラックＢやチャプターＢの頭出しと早戻し再生という２段階の操作を行う必要がある。
【０００７】
また、デジタル多目的ディスク（ＤＶＤ）などを用いた再生装置には、チャプターＡの次のチャプターであるチャプターＢの頭出しを行うと、その後に早戻し再生を行ってもチャプターＢの開始位置に止まってしまい、チャプターＢの開始位置を通り過ぎてチャプターＡの終了位置から前に戻ることができないものがある。このような再生装置では、目標とする再生位置が含まれるチャプターＡをその開始位置から早送り再生する必要があり、目標とする再生位置を探し出すのに相当な時間を要する。
【０００８】
また、デジタル多目的ディスク（ＤＶＤ）などを用いた再生装置には、任意のチャプターの再生を当該チャプターの途中で停止した場合、停止された時点におけるチャプターの再生位置を再生中断位置情報として再生装置に記憶し、次に再生を行う際には、再生中断位置情報に基づき当該チャプターの途中から再生を開始するものがある。この機能を活用すれば、任意のチャプターの途中で再生を停止した後にその続きを再生する場合、任意のチャプターの開始位置から再生を停止した位置まで早送り再生をする操作が不要となる。
【０００９】
しかしながら、このような機能を有する再生装置では、チャプターＡの再生が終了して次にチャプターＢの再生が開始されると、チャプターＡの再生中断位置情報が再生装置から消去される。そして、チャプターＢの途中で再生が停止されると、停止された時点におけるチャプターＢの再生位置が再生中断位置情報として再生装置に記憶される。このため、チャプターＡの最終部分を繰り返し視聴したい場合には、チャプターＢまで再生が進まないように慎重に操作を行う必要があり、再生装置の操作性が悪くなるという問題があった。
【００１０】
本発明は、かかる点に鑑みてなされたものであり、その目的とするところは、記録媒体における任意のトラックや任意のチャプターの最終部分の再生を行う場合に、目標とする再生位置を簡単な操作で素早く見つけ出すことができるようにすることで目標とする再生位置の検索性を高めることにある。
【課題を解決するための手段】
【００１１】
上記目的を達成するために、本発明の再生装置は、時間的に連続した情報が所定時間単位で複数のブロックに分けて記録されるとともに各ブロックの開始位置を示すアドレスと各ブロックの記録時間とが管理情報として記録される記録媒体の再生を行う再生装置において、指定されたブロックの終了位置を示すアドレスを前記記録媒体に記録される前記管理情報に基づき算出するアドレス算出手段と、前記アドレス算出手段により算出される指定されたブロックの終了位置を示すアドレスに基づき、指定されたブロックの最終部分の早戻し再生を行う早戻し再生手段と、を備え、前記記録媒体の再生が行われているときに所定の操作が成されると、再生が行われているブロックの終了位置を示すアドレスが前記アドレス算出手段により算出されるとともに、前記アドレス算出手段により算出された再生が行われているブロックの終了位置を示すアドレスに基づき、再生が行われているブロックの最終部分の早戻し再生が前記早戻し再生手段により行われることを特徴とする。
【００１２】
これにより、記録媒体における任意のトラックやチャプターなどのブロックの再生が行われているときに所定の操作が成されると、アドレス算出手段が、再生が行われているブロックの終了位置を示すアドレスを算出する。続いて、早戻し再生手段が、アドレス算出手段により算出されたアドレス情報に基づき、当該ブロックの開始位置へ向けて、再生が行われているブロックの最終部分の早戻し再生を行う。
【００１３】
このように構成された再生装置において、前記記録媒体の早戻し再生を行うための早戻し再生キーを備え、前記早戻し再生手段による前記記録媒体の早戻し再生動作が、前記早戻し再生キーが押下されることにより実行される。そして、上述した所定の操作が成されることとは、早戻し再生キーが押下されることを表す。
【００１４】
また、上述のそれぞれの再生装置において、前記早戻し再生手段が、前記アドレス算出手段により算出される指定されたブロックの終了位置を示すアドレスに基づき、指定されたブロックの終了位置から前記記録媒体の早戻し再生を行う。
【００１５】
これにより、記録媒体における任意のブロックの再生が行われているときに所定の操作が成されると、早戻し再生手段が、アドレス算出手段により算出されたアドレス情報に基づき、当該ブロックの終了位置から当該ブロックの開始位置へ向けて、再生が行われているブロックの最終部分の早戻し再生を行う。
【００１６】
また、このとき、前記早戻し再生手段が、前記アドレス算出手段により算出される指定されたブロックの終了位置を示すアドレスに基づき、指定されたブロックの終了位置よりも所定時間だけ前の位置から前記記録媒体の早戻し再生を行うものとしても構わない。
【００１７】
これにより、記録媒体における任意のブロックの再生が行われているときに所定の操作が成されると、早戻し再生手段が、アドレス算出手段により算出されたアドレス情報に基づき、当該ブロックの終了位置よりも所定時間だけ前の位置から当該ブロックの開始位置へ向けて、再生が行われているブロックの最終部分の早戻し再生を行う。
【００１８】
また、上述のそれぞれの再生装置において、前記アドレス算出手段が、前記記録媒体に記録される前記管理情報に基づき、再生が行われているブロックの開始位置を示すアドレスと当該ブロックの記録時間とから、当該ブロックの終了位置を示すアドレスを算出する。
【００１９】
これにより、任意のブロックの開始位置を示すアドレスが分や秒などの時間により管理されるとき、再生が行われているブロックの開始位置を示すアドレスに当該ブロックの記録時間を加えると、当該ブロックの終了位置を示すアドレスが求められる。
【００２０】
また、このとき、再生が行われているブロックが前記記録媒体に記録された最後のブロックであるか否かを判定するブロック判定手段を備え、前記ブロック判定手段が、再生が行われているブロックが前記記録媒体に記録された最後のブロックであると判定したときは、前記アドレス算出手段が、前記記録媒体に記録される前記管理情報に基づき、再生が行われているブロックの開始位置を示すアドレスと当該ブロックの記録時間とから、当該ブロックの終了位置を示すアドレスを算出するとともに、前記ブロック判定手段が、再生が行われているブロックが前記記録媒体に記録された最後のブロックでないと判定したときは、前記早戻し再生手段が、前記記録媒体に記録される前記管理情報に基づき、再生が行われているブロックの次のブロックの開始位置を示すアドレスから、再生が行われているブロックの終了位置を示すアドレスを算出するものとしても構わない。
【００２１】
このように、ブロック判定手段が、再生が行われているブロックが記録媒体に記録された最後のブロックでないと判定したときは、即ち、再生が行われているブロックの次のブロックが記録媒体に記録されていると判定したときは、早戻し再生手段が、記録媒体に記録される管理情報に基づき、再生が行われているブロックの次のブロックの開始位置を示すアドレスを再生が行われているブロックの終了位置を示すアドレスとする。
【００２２】
一方、ブロック判定手段が、再生が行われているブロックが記録媒体に記録された最後のブロックであると判定したときは、即ち、再生が行われているブロックの次のブロックが記録媒体に記録されていないと判定したときは、再生が行われているブロックの次のブロックの開始位置を示すアドレスが存在しない。このため、早戻し再生手段が、記録媒体に記録される管理情報に基づき、再生が行われているブロックの開始位置を示すアドレスと当該ブロックの記録時間とから、当該ブロックの終了位置を示すアドレスを算出する。
【発明の効果】
【００２３】
本発明によれば、記録媒体における任意のブロックの最終部分の再生を行う場合、記録媒体における任意のブロックの再生が行われているときにユーザが所定の操作を成すことにより当該ブロックの最終部分の早戻し再生を行うことができるため、ユーザは目標とする再生位置を簡単な操作で素早く見つけ出すことができ、目標とする再生位置の検索性を高めることができる。
【発明を実施するための最良の形態】
【００２４】
以下、本発明の実施形態を図面に基づいて詳細に説明する。尚、本発明は、再生機能を有する再生装置に関するものであるが、近年では、再生機能と記録機能の両方を有する記録再生装置が主流となりつつある。このため、ＤＶＤ（Digital Versatile Disc）レコーダーなどの記録再生装置について、本発明の実施形態を説明する。
【００２５】
《発明の実施形態》
図１に示すように、本実施形態の記録再生装置１には、デジタル多目的ディスク（ＤＶＤ）などの脱着可能な光ディスク１０が記録再生媒体として用いられる。そして、この光ディスク１０には、映像データや音声データ（以下、映像データと音声データを合わせて「データ」と呼ぶ）が記録される。
【００２６】
また、この記録再生装置１は、図１に示すように、光ディスク１０にレーザ光を照射することにより光ディスク１０に対して記録を行うとともに光ディスク１０に記録されたデータを読み取るための光学ヘッド２０と、光ディスク１０の記録または再生を行う位置に光学ヘッド２０を移動させるとともに光ディスク１０に対して光学ヘッド２０のフォーカス制御及びトラッキング制御などを行うサーボ制御部２１と、光ディスク１０に記録するためのデータの変調や光ディスク１０から読み取ったデータの復調をサーボ制御部２１と連携しながら行うデータ変復調部２２と、データ変復調部２２へ送信するデータに対して誤り訂正符号を付加し、或いは、データ変復調部２２から送信されたデータに対して、データと一緒に記録された誤り訂正符号を用いてデータの誤りの検出や誤ったデータの訂正を行うためのＥＣＣ（Error Correcting Code）回路２３と、ＥＣＣ回路２３の作業領域であるＥＣＣ用メモリ２４と、ＥＣＣ回路２３に接続されるとともに圧縮伸張回路３０で処理されるデータを蓄える記録再生バッファ２５と、パソコン等の外部機器（不図示）に接続される入力端子２６及び出力端子２７と、アンテナ２８を有するとともにテレビ放送を受信するためのＴＶチューナ２９と、入力端子２６やＴＶチューナ２９に入力されたデータの圧縮を行うとともに出力端子２７から出力されるデータの伸張を行う圧縮伸張回路３０と、記録再生装置１の動作を制御するシステムコントロールマイコン３１と、を備えている。
【００２７】
そして、記録再生バッファ２５は、光ディスク１０の再生速度または記録速度と、記録再生装置１と外部機器との間のデータ転送速度と、が異なる場合に、データを一時的に保持するために用いられる。
【００２８】
また、この記録再生装置１は、図１に示すように、光ディスク１０の再生や光ディスク１０へのデータの記録などを行うためにユーザによって操作される操作部４０と、液晶表示画面（以下、「表示画面」と呼ぶ）が設置されるとともにユーザの操作により設定された内容や記録再生装置１の動作状態を表示画面に表示する表示部５０と、を備えている。そして、この操作部４０と表示部５０とがシステムコントロールマイコン３１に接続されており、操作部４０よりユーザが入力した情報に基づきシステムコントロールマイコン３１が記録再生装置１の動作を制御するとともに、システムコントロールマイコン３１において確認されるユーザの操作により設定された内容や記録再生装置１の動作状態が表示画面に表示される。
【００２９】
具体的に、操作部４０には、図２に示すように、ユーザが各種設定を行うための操作キーとして、再生キー４１、停止キー４２、一時停止キー４３、早送りキー４４、早戻しキー４５、頭出しを行うための次ステップキー４６や前ステップキー４７、及び録画キー４８などが形成されている。また、操作部４０には、図２に示すように、光ディスク１０における任意のチャプターの最終部分を再生するための早戻し再生キーであるエンドレビューキー４９が形成されている。このエンドレビューキー４９が押下されたときの記録再生装置１の動作については、後で詳細に説明する。
【００３０】
尚、操作部４０が備える複数の操作キーは、記録再生装置１の本体に形成されるようにしてもよいし、或いは、記録再生装置１の本体に付属するリモートコントローラ（不図示）に形成されるようにしてもよい。そして、記録再生装置１の本体にリモートコントローラが付属されるとき、ユーザがリモートコントローラに形成された複数の操作キーの中から１つの操作キーを選択して押下すると、ユーザが押下した操作キーの情報が赤外線通信によりリモートコントローラから記録再生装置１の本体に送信される。
【００３１】
また、表示部５０に設置される表示画面には、記録再生装置１の動作状態として、光ディスク１０の再生が行われているか、或いは、光ディスク１０の再生が一時停止されているか、などの状態が図２に示す操作キーに描かれたイメージで表示されるとともに、光ディスク１０の再生が行われている場合には、再生が行われているチャプターの番号や再生を開始してからの経過時間なども表示画面に表示される。
【００３２】
そして、この記録再生装置１に用いられる光ディスク１０には、複数のブロック、即ち、複数のチャプターから成るデータが記録されている。図３（Ａ）及び図３（Ｂ）に示すように、光ディスク１０の最内周側にはリードインエリア１１が形成されており、このリードインエリア１１には管理情報が記録されている。また、図３（Ａ）及び図３（Ｂ）に示すように、光ディスク１０の最外周側には、データがこれ以上外周側に記録されていないことを示すためのリードアウトエリア１２が形成されており、このリードアウトエリア１２には何の情報も記録されていない。
【００３３】
そして、光ディスク１０に記録される各チャプターは、分と秒とから成るアドレスにより管理されており、管理情報として、光ディスク１０の種類、光ディスク１０に記録されるチャプターの数、各チャプターの記録時間、各チャプターの開始位置を示す絶対アドレス、及び各チャプターのチャプター内アドレスなどが、このリードインエリア１１に記録されている。
【００３４】
具体的に、絶対アドレスは、例えば、図３（Ａ）に示すように、リードインエリア１１の外周側に隣接するチャプター＃１の開始位置を基準とし、チャプター＃１の開始位置からチャプター＃４の終了位置にかけて光ディスク１０の最外周側まで所定の間隔（例えば、７５分の１秒刻み）でカウントアップされていく数値とされている。また、チャプター内アドレスは、各チャプターの開始位置を基準とし、各チャプターの開始位置から終了位置まで所定の間隔（例えば、７５分の１秒刻み）でカウントアップされていく数値とされている。即ち、チャプター内アドレスは、チャプターごとに与えられる。
【００３５】
このように光ディスク１０が構成されるとき、再生専用型や追記型の光ディスク１０では、図３（Ａ）に示すように、リードインエリア１１とリードアウトエリア１２の間の領域に、光ディスク１０の内周側から外周側に向かって、例えば、４個のチャプターがチャプター＃１、チャプター＃２、チャプター＃３、チャプター＃４の順に記録される。
【００３６】
また、書き換え型の光ディスク１０では、光ディスク１０からのデータの消去や光ディスク１０へのデータの追加を繰り返す間に、チャプターの並び順が変更される場合や１つのチャプターが複数に分割される場合が生じる。このため、図３（Ｂ）に示すように、リードインエリア１１とリードアウトエリア１２の間の領域に、光ディスク１０の内周側から外周側に向かって、例えば、チャプター＃２、チャプター＃１、チャプター＃４の順にデータが記録されるとともに、チャプター＃３が２つのチャプターに分割された状態で、即ち、チャプター＃３−１とチャプター＃３−２とに分割された状態で光ディスク１０に記録される。
【００３７】
このように構成された記録再生装置１の動作を図１〜図３（Ａ）を参照しながら説明する。初めに、記録再生装置１に装着される光ディスク１０の再生を行う場合について説明し、後で記録再生装置１に装着される光ディスク１０へデータの記録を行う場合などについて説明する。
【００３８】
まず、記録再生装置１に装着される光ディスク１０の再生が停止されているときにこの光ディスク１０の再生を開始する場合、ユーザは、図２に示す操作部４０に形成された複数の操作キーの中から再生キー４１を選択して押下する。すると、操作部４０からシステムコントロールマイコン３１にユーザの指示に従った情報が送信される。システムコントロールマイコン３１がユーザが再生キー４１を押下したことを確認すると、システムコントロールマイコン３１の指示により、光ディスク１０の回転制御が行われる。また、光ディスク１０のリードインエリア１１に光学ヘッド２０を移動させる旨の信号がシステムコントロールマイコン３１からサーボ制御部２１に送信される。
【００３９】
そして、サーボ制御部２１により光ディスク１０のリードインエリア１１に光学ヘッド２０が移動されるとともに、このリードインエリア１１に光学ヘッド２０からレーザ光が照射されることにより、このリードインエリア１１に記録された管理情報が読み出される。システムコントロールマイコン３１は、光ディスク１０のリードインエリア１１から読み出された管理情報に基づき、光ディスク１０におけるチャプター＃１の開始位置を示す絶対アドレスに対応する地点へ光学ヘッド２０を移動させる旨の信号をサーボ制御部２１に送信する。これにより、サーボ制御部２１は、光ディスク１０におけるチャプター＃１の開始位置を示す絶対アドレスに対応する地点へ光学ヘッド２０を移動させる。
【００４０】
その後、光学ヘッド２０から光ディスク１０にレーザ光が照射されるとともに、サーボ制御部２１が、光ディスク１０におけるチャプター＃１の開始位置を示す絶対アドレスに対応する地点から光ディスク１０の外周側へ向けて光学ヘッド２０を移動させてゆくことにより、光ディスク１０におけるレーザ光が照射された部分に記録されたデータが読み取られる。
【００４１】
光ディスク１０から読み取られたデータは、データ変復調部２２において８／１６復調方式などにより復調され、その後にＥＣＣ用メモリ２４に一時的に記憶される。また、ＥＣＣ回路２３において、ＥＣＣ用メモリ２４内のデータに対して、データとともに含まれる誤り訂正符号を用いてデータの誤りの検出や誤ったデータの訂正が行われる。ＥＣＣ回路２３を通過したデータは、記録再生バッファ２５に蓄えられる。そして、圧縮伸張回路３０において記録再生バッファ２５から取り出されたデータが伸張されるとともに、出力端子２７から映像信号と音声信号とが外部機器へ出力される。
【００４２】
また、光ディスク１０におけるチャプター＃１の再生が行われているとき、システムコントロールマイコン３１の指示により、図２に示す再生キー４１に描かれたイメージが表示部５０の表示画面に表示されるとともに、再生が行われているチャプターの番号として「Ｃｈａｐｔｅｒ１」の表示や光ディスク１０の再生を開始してからの経過時間の表示などが表示画面に成される。
【００４３】
次に、記録再生装置１に装着される光ディスク１０へデータの記録を行う場合、ユーザは、図２に示す操作部４０に形成された複数の操作キーの中から録画キー４８を選択して押下する。すると、操作部４０からシステムコントロールマイコン３１にユーザの指示に従った情報が送信される。システムコントロールマイコン３１が、ユーザが録画キー４８を押下したことを確認すると、システムコントロールマイコン３１の指示により、光ディスク１０の回転制御が行われる。また、光ディスク１０のリードインエリア１１に光学ヘッド２０を移動させる旨の信号がシステムコントロールマイコン３１からサーボ制御部２１に送信される。
【００４４】
そして、サーボ制御部２１により光ディスク１０のリードインエリア１１に光学ヘッド２０が移動されるとともに、このリードインエリア１１に光学ヘッド２０からレーザ光が照射されることにより、このリードインエリア１１に記録された管理情報が読み出される。システムコントロールマイコン３１は、光ディスク１０のリードインエリア１１から読み出された管理情報に基づき、光ディスク１０におけるデータが記録されていないエリアのうち最内周側の絶対アドレスに対応する地点へ光学ヘッド２０を移動させる旨の信号をサーボ制御部２１に送信する。これにより、サーボ制御部２１は、光ディスク１０におけるデータが記録されていないエリアのうち最内周側の絶対アドレスに対応する地点へ光学ヘッド２０を移動させる。
【００４５】
また、システムコントロールマイコン３１がユーザが録画キー４８を押下したことを確認すると、システムコントロールマイコン３１の指示により、外部機器と接続される入力端子２６から映像信号と音声信号とが入力される。或いは、テレビ放送を録画するとき、アンテナ２８が受信した映像信号と音声信号とがＴＶチューナ２９に入力される。そして、入力端子２６に入力されたデータ、或いは、ＴＶチューナ２９に入力されたデータが、圧縮伸張回路３０において圧縮される。圧縮されたデータは、記録再生バッファ２５に蓄えられるとともに、この記録再生バッファ２５から取り出されてＥＣＣ用メモリ２４に一時的に記憶される。
【００４６】
そして、ＥＣＣ回路２３において、ＥＣＣ用メモリ２４内のデータに対して誤り訂正符号が付加される。ＥＣＣ回路２３を通過したデータは、データ変復調部２２において８／１６変調方式などにより変調される。その後、光学ヘッド２０から光ディスク１０にレーザ光が照射されるとともに、サーボ制御部２１が、光ディスク１０におけるデータが記録されていないエリアのうち最内周側の絶対アドレスに対応する地点から光ディスク１０の外周側へ向けて光学ヘッド２０を移動させてゆくことにより、光ディスク１０におけるレーザ光が照射された部分へデータの記録が行われる。
【００４７】
また、光ディスク１０へのデータの記録が行われているとき、システムコントロールマイコン３１の指示により、図２に示す録画キー４８に描かれたイメージが表示部５０の表示画面に表示されるとともに、録画を開始してからの経過時間の表示などが表示画面に成される。
【００４８】
また、光ディスク１０の再生が行われているときに、ユーザが図２に示す操作部４０に形成された複数の操作キーの中から次ステップキー４６または前ステップキー４７を選択して押下すると、各チャプターの開始位置をサーチして頭出しが行われる。
【００４９】
具体的に、図３（Ａ）に示すチャプター＃２の再生が行われているときにユーザが操作部４０の次ステップキー４６を押下すると、操作部４０からシステムコントロールマイコン３１にユーザの指示に従った情報が送信される。システムコントロールマイコン３１が、ユーザが次ステップキー４６を押下したことを確認すると、光ディスク１０のリードインエリア１１に記録された管理情報に基づき、光ディスク１０におけるチャプター＃３の開始位置を示す絶対アドレスに対応する地点へ光学ヘッド２０を移動させる旨の信号をサーボ制御部２１に送信する。これにより、サーボ制御部２１は、光ディスク１０におけるチャプター＃３の開始位置を示す絶対アドレスに対応する地点へ光学ヘッド２０を移動させる。
【００５０】
その後、光学ヘッド２０から光ディスク１０にレーザ光が照射されるとともに、サーボ制御部２１が、光ディスク１０におけるチャプター＃３の開始位置を示す絶対アドレスに対応する地点から光ディスク１０の外周側へ向けて光学ヘッド２０を移動させてゆくことにより、光ディスク１０におけるレーザ光が照射された部分に記録されたデータが読み取られる。よって、光ディスク１０におけるチャプター＃３の開始位置から光ディスク１０の再生が行われる。
【００５１】
また、光ディスク１０の再生が行われているときに、ユーザが図２に示す操作部４０に形成された複数の操作キーの中から早送りキー４４または早戻しキー４５を選択して押下すると、操作部４０からシステムコントロールマイコン３１にユーザの指示に従った情報が送信される。システムコントロールマイコン３１が、ユーザが早送りキー４４を押下したことを確認すると、システムコントロールマイコン３１の指示により、現在再生中のアドレスから所定のアドレスだけ先に進んだ地点で少しの時間再生を行い、その後に再び所定のアドレスだけ先に進んだ地点で少しの時間再生を行う、といった動作を繰り返すキュー再生が行われる。或いは、システムコントロールマイコン３１が、ユーザが早戻しキー４５を押下したことを確認すると、システムコントロールマイコン３１の指示により、現在再生中のアドレスから所定のアドレスだけ前に戻った地点で少しの時間再生を行い、その後に再び所定のアドレスだけ前に戻った地点で少しの時間再生を行う、といった動作を繰り返すレビュー再生が行われる。
【００５２】
このような動作を行う記録再生装置１において、ユーザが図２に示す操作部４０に形成された複数の操作キーの中からエンドレビューキー４９を選択して押下したときのシステムコントロールマイコン３１の動作について、図４に示すフローチャートを参照しながら説明する。尚、上述したシステムコントロールマイコン３１の動作と重複する部分については、その詳細な説明を省略する。
【００５３】
まず、ユーザが操作部４０に形成された複数の操作キーの中から再生キー４１を選択して押下し、システムコントロールマイコン３１がユーザが再生キー４１を押下したことを確認すると（ステップＳ１１）、システムコントロールマイコン３１からサーボ制御部２１に指示が成されることにより、光ディスク１０のリードインエリア１１に記録された管理情報が読み出される。そして、光ディスク１０のリードインエリア１１に記録された管理情報に基づき、光ディスク１０の再生が開始される（ステップＳ１２）。また、次に、システムコントロールマイコン３１において、ユーザがエンドレビューキー４９を押下したか否かの判断が行われる（ステップＳ１３）。
【００５４】
このとき、光ディスク１０の再生中にユーザが操作部４０に形成されたエンドレビューキー４９を押下しないと、システムコントロールマイコン３１においてユーザがエンドレビューキー４９を押下したことが確認されない（ステップＳ１３でＮｏ）。
【００５５】
続いて、システムコントロールマイコン３１において、ユーザが停止キー４２を押下したか否かの判断が行われる（ステップＳ１４）。このとき、光ディスク１０の再生中にユーザが操作部４０に形成された複数の操作キーの中から停止キー４２を選択して押下し、システムコントロールマイコン３１が、ユーザが停止キー４２を押下したことを確認すると（ステップＳ１４でＹｅｓ）、光ディスク１０の再生が停止されて（ステップＳ１５）、処理を終了する。
【００５６】
一方、このとき、光ディスク１０の再生中にユーザが操作部４０に形成された停止キー４２を押下しないと、システムコントロールマイコン３１においてユーザが停止キー４２を押下したことが確認されない（ステップＳ１４でＮｏ）。よって、光ディスク１０の再生が継続して行われるとともに（ステップＳ１２参照）、ステップＳ１３に戻って、システムコントロールマイコン３１においてユーザがエンドレビューキー４９を押下したか否かの判断が再び行われる。
【００５７】
また、ステップＳ１３において、光ディスク１０の再生中にユーザが操作部４０に形成された複数の操作キーの中からエンドレビューキー４９を選択して押下し、システムコントロールマイコン３１が、ユーザがエンドレビューキー４９を押下したことを確認すると（ステップＳ１３でＹｅｓ）、システムコントロールマイコン３１において、エンドレビューキー４９が押下された時点で再生が行われているチャプターの番号が確認される（ステップＳ１６）。
【００５８】
そして、ステップＳ１６においてエンドレビューキー４９が押下された時点で再生が行われているチャプターの番号が確認された後、システムコントロールマイコン３１のブロック判定手段において、エンドレビューキー４９が押下された時点で再生中のチャプターが光ディスク１０における最後のチャプターであるか否かの判断が行われる（ステップＳ１７）。
【００５９】
このとき、システムコントロールマイコン３１のブロック判定手段が、光ディスク１０のリードインエリア１１に記録された管理情報に基づき、エンドレビューキー４９が押下された時点で再生中のチャプターが光ディスク１０における最後のチャプターでないことを確認すると（ステップＳ１７でＮｏ）、システムコントロールマイコン３１のアドレス算出手段により、エンドレビューキー４９が押下された時点で再生中のチャプターの次のチャプターの開始位置を示す絶対アドレスが目的アドレスに決定される（ステップＳ１８）。
【００６０】
一方、このとき、システムコントロールマイコン３１のブロック判定手段が、光ディスク１０のリードインエリア１１に記録された管理情報に基づき、エンドレビューキー４９が押下された時点で再生中のチャプターが光ディスク１０における最後のチャプターであることを確認すると（ステップＳ１７でＹｅｓ）、システムコントロールマイコン３１のアドレス算出手段が、エンドレビューキー４９が押下された時点で再生中のチャプターの開始位置を示す絶対アドレスと当該チャプターの記録時間とから当該チャプターの終了位置を示す絶対アドレスを算出する。そして、システムコントロールマイコン３１のアドレス算出手段が算出した、エンドレビューキー４９が押下された時点で再生中のチャプターの終了位置を示す絶対アドレスが目的アドレスに決定される（ステップＳ１９）。
【００６１】
ここで、一般に、光ディスク１０のリードインエリア１１には、管理情報として各チャプターの開始位置を示す絶対アドレスや各チャプターの記録時間などが記録されているが、各チャプターの終了位置を示す絶対アドレスは記録されていない。そして、エンドレビューキー４９が押下された時点で再生中のチャプターが光ディスク１０における最後のチャプターであることが確認されたとき、エンドレビューキー４９が押下された時点で再生中のチャプターの次のチャプターが存在しないため、エンドレビューキー４９が押下された時点で再生中のチャプターの開始位置を示す絶対アドレスと当該チャプターの記録時間とから当該チャプターの終了位置を示す絶対アドレスが算出される。
【００６２】
尚、光ディスク１０における複数のチャプターは連続しており、任意のチャプターの終了位置を示す絶対アドレスと任意のチャプターの次のチャプターの開始位置を示す絶対アドレスとは同じ位置を表すものとする。
【００６３】
そして、ステップＳ１８とステップＳ１９のそれぞれのおいて目的アドレスが決定された後、システムコントロールマイコン３１からサーボ制御部２１へ指示が成されることにより、目的アドレスへの光学ヘッド２０の移動が実行される（ステップＳ２０）。続いて、光学ヘッド２０から光ディスク１０にレーザ光が照射されるとともに、目的アドレスからこのチャプターの開始位置へ向けて光学ヘッド２０が移動されることにより、システムコントロールマイコン３１の早戻し再生手段が、任意のチャプターの終了位置から光ディスク１０の早戻し再生を行う（ステップＳ２１）。
【００６４】
その後、システムコントロールマイコン３１において、ユーザが再生キー４１を押下したか否かの判断が行われる（ステップＳ２２）。このとき、光ディスク１０の早戻し再生中にユーザが操作部４０に形成された複数の操作キーの中から再生キー４１を選択して押下し、システムコントロールマイコン３１がユーザが再生キー４１を押下したことを確認すると（ステップＳ２２でＹｅｓ）、システムコントロールマイコン３１の早戻し再生手段による光ディスク１０の早戻し再生が中断され、ステップＳ１２に戻って再生キー４１が押下された時点での位置から光ディスク１０の再生が開始される。
【００６５】
一方、このとき、光ディスク１０の早戻し再生中にユーザが操作部４０に形成された再生キー４１を押下しないと、システムコントロールマイコン３１においてユーザが再生キー４１を押下したことが確認されない（ステップＳ２２でＮｏ）。よって、システムコントロールマイコン３１の早戻し再生手段による光ディスク１０の早戻し再生が継続して行われる（ステップＳ２１参照）。
【００６６】
続いて、システムコントロールマイコン３１において、ユーザが停止キー４２を押下したか否かの判断が行われる（ステップＳ２３）。このとき、光ディスク１０の早戻し再生中にユーザが操作部４０に形成された複数の操作キーの中から停止キー４２を選択して押下し、システムコントロールマイコン３１が、ユーザが停止キー４２を押下したことを確認すると（ステップＳ２３でＹｅｓ）、システムコントロールマイコン３１の早戻し再生手段による光ディスク１０の早戻し再生が停止されて（ステップＳ２４）、処理を終了する。
【００６７】
一方、このとき、光ディスク１０の早戻し再生中にユーザが操作部４０に形成された停止キー４２を押下しないと、システムコントロールマイコン３１においてユーザが停止キー４２を押下したことが確認されない（ステップＳ２３でＮｏ）。よって、システムコントロールマイコン３１の早戻し再生手段による光ディスク１０の早戻し再生が継続して行われるとともに（ステップＳ２１参照）、ステップＳ２２に戻って、システムコントロールマイコン３１においてユーザが再生キー４１を押下したか否かの判断が再び行われる。
【００６８】
また、システムコントロールマイコン３１が図４の処理を実行することで行われる光ディスク１０の動作を図５に模式的に示す。尚、以下では、図４のステップＳ１７でＮｏの処理が実行された場合について説明する。
【００６９】
今、図５にＰＢ１として示すように、光ディスク１０におけるチャプター＃２からチャプター＃３に亘って再生が行われているとする。このように光ディスク１０の再生が行われているとき、図５にＫＥＹ１で示すタイミングで操作部４０に形成されたエンドレビューキー４９が押下されたとすると、システムコントロールマイコン３１は、エンドレビューキー４９が押下された時点で再生中のチャプターの番号を確認する。そして、システムコントロールマイコン３１は、光ディスク１０のリードインエリア１１に記録された管理情報からチャプター＃３の終了位置を示す絶対アドレスを求め、チャプター＃３の終了位置を示す絶対アドレスに対応する地点へ光学ヘッド２０のサーチ（ＳＲＣＨ）を実行させる。
【００７０】
そして、チャプター＃３の終了位置を示す絶対アドレスに対応する地点への光学ヘッド２０のサーチが終了すると、システムコントロールマイコン３１の指示により、図５にＲＥＶとして示すように、チャプター＃３の終了位置からチャプター＃３の開始位置に向けて光ディスク１０の早戻し再生が行われる。
【００７１】
また、チャプター＃３の早戻し再生ＲＥＶが行われている途中に、図５にＫＥＹ２で示すタイミングで操作部４０に形成された再生キー４１が押下されたとすると、システムコントロールマイコン３１の指示により、図５にＰＢ２として示すように、再生キー４１が押下された時点での位置からチャプター＃３の終了位置に向けて光ディスク１０の再生が行われる。
【００７２】
更に、通常の再生時に光ディスク１０におけるチャプター＃３の最終部分の再生が行われているとき、或いは、図５にＰＢ２として示すように、チャプター＃３の早戻し再生ＲＥＶの後に光ディスク１０におけるチャプター＃３の最終部分の再生が行われているとき、チャプター＃３の最終部分を繰り返し視聴したいにもかかわらずチャプター＃３の再生が終了してチャプター＃４の再生が開始された場合、以下のようにしてチャプター＃３の最終部分の再生を行う。
【００７３】
具体的に、光ディスク１０におけるチャプター＃３の再生が終了してチャプター＃４の再生が開始された場合、ユーザが操作部４０に形成された前ステップキー４７を２回続けて押下すると、システムコントロールマイコン３１の指示により、チャプター＃４の開始位置を飛び越えてチャプター＃３の頭出しが行われる。そして、光ディスク１０におけるチャプター＃３の開始位置からチャプター＃３の終了位置に向けて光ディスク１０の再生が行われる。このとき、ユーザが操作部４０に形成されたエンドレビューキー４９を押下すると、システムコントロールマイコン３１の指示により、図５にＲＥＶとして示すように、チャプター＃３の終了位置からチャプター＃３の開始位置に向けて光ディスク１０の早戻し再生が行われる。
【００７４】
また、チャプター＃３の早戻し再生ＲＥＶが行われている途中に、図５にＫＥＹ２で示すタイミングで操作部４０に形成された再生キー４１が押下されたとすると、システムコントロールマイコン３１の指示により、図５にＰＢ２として示すように、再生キー４１が押下された時点での位置からチャプター＃３の終了位置に向けて光ディスク１０の再生が行われる。
【００７５】
このように、本実施形態では、光ディスク１０の再生が行われているとき、ユーザが操作部４０に形成されたエンドレビューキー４９を押下すると、エンドレビューキー４９が押下された時点で再生中のチャプターの終了位置から当該チャプターの開始位置に向けて光ディスク１０の早戻し再生が行われる。そして、光ディスク１０の早戻し再生が行われているとき、目標とする再生位置に到達したところでユーザが操作部４０に形成された再生キー４１を押下すると、早戻し再生が中断され、再生キー４１が押下された時点での位置から光ディスク１０の再生が行われる。
【００７６】
従って、本実施形態によれば、光ディスク１０における任意のチャプターの最終部分の再生を行う場合に、操作部４０に形成されたエンドレビューキー４９を１回押下するだけで任意のチャプターの終了位置から光ディスク１０の早戻し再生が行われるため、ユーザは目標とする再生位置を簡単な操作で素早く見つけ出すことができ、目標とする再生位置の検索性を高めることができる。
【００７７】
尚、上記記録再生装置１では、記録再生装置１が光ディスク１０の再生を行っているときに操作部４０のエンドレビューキー４９が押下された場合の処理について図４を参照しながら説明したが、これに限るものではない。即ち、記録再生装置１が光ディスク１０の早送り再生や早戻し再生を行っているときに操作部４０のエンドレビューキー４９が押下されても、図４に示すステップＳ１６からステップＳ２１までの動作が同様に行われる。
【００７８】
また、上記記録再生装置１では、図４に示すように、エンドレビューキー４９が押下された時点で再生中のチャプターが光ディスク１０における最後のチャプターでないとき（ステップＳ１７でＮｏ）、ステップＳ１８に移ってエンドレビューキー４９が押下された時点で再生中のチャプターの次のチャプターの開始位置を示す絶対アドレスを目的アドレスとしたが、これに限るものではない。
【００７９】
即ち、図４に示すステップＳ１８において、システムコントロールマイコン３１のアドレス算出手段は、光ディスク１０のリードインエリア１１に記録された管理情報に基づき、ステップＳ１９と同様に、エンドレビューキー４９が押下された時点で再生中のチャプターの開始位置を示す絶対アドレスと当該チャプターの記録時間とから当該チャプターの終了位置を示す絶対アドレスを算出する。そして、エンドレビューキー４９が押下された時点で再生中のチャプターの終了位置を示す絶対アドレスを目的アドレスとするようにしてもよい。
【００８０】
また、図４に示すステップＳ２１における早戻し再生は、エンドレビューキー４９が押下されるまで行われていた再生動作に加えて早戻し再生動作を行うものである。そして、エンドレビューキー４９が押下された時点で再生中のチャプターの終了位置を示す絶対アドレスに対応する地点へ、または、次のチャプターの開始位置を示す絶対アドレスに対応する地点へ光学ヘッド１０が移動した後、システムコントロールマイコン３１の指示により早戻し再生が開始されるまでの間に、次のチャプターの先頭部分が再生される現象が起こり得る。
【００８１】
このため、図４に示すステップＳ１８において、エンドレビューキー４９が押下された時点で再生中のチャプターの次のチャプターの開始位置を示す絶対アドレスより所定時間（最小となる絶対アドレスの数倍から数十倍）だけ前のアドレスを目的アドレスとすることで、次のチャプターの先頭部分、即ち、早戻し再生をする必要のない部分が再生される現象を確実に防止することができる。同様に、図４に示すステップＳ１９において、エンドレビューキー４９が押下された時点で再生中のチャプターの終了位置を示す絶対アドレスより所定時間（最小となる絶対アドレスの数倍から数十倍）だけ前のアドレスを目的アドレスとすることで、次のチャプターの先頭部分、即ち、早戻し再生をする必要のない部分が再生される現象を確実に防止することができる。よって、ユーザが所望する再生位置まで光ディスク１０の早戻し再生を行う時間を短縮することができる。
【００８２】
また、上記記録再生装置１に用いられる脱着可能な光ディスク１０として、映像データや音声データを記録するデジタル多目的ディスク（ＤＶＤ）の他に、音声データを記録するコンパクトディスク（ＣＤ[Compact Disc]）やミニディスク（ＭＤ[Mini Disc]）などが挙げられる。
【産業上の利用可能性】
【００８３】
以上説明したように、本発明は、音声情報や画像情報が記録された記録媒体の再生を行う再生装置について有用である。
【図面の簡単な説明】
【００８４】
【図１】実施形態に係る記録再生装置の構成を示すブロック図である。
【図２】実施形態に係る記録再生装置における操作部の構成を示す図である。
【図３】光ディスクに記録された管理情報及びチャプターの配置を表す図である。
【図４】実施形態に係る記録再生装置において、システムコントロールマイコンの動作を示すフローチャートである。
【図５】実施形態に係る記録再生装置において、エンドレビューキーが押下されたときの光ディスクの動作を示す図である。
【符号の説明】
【００８５】
１  記録再生装置
１０  光ディスク
２０  光学ヘッド
２１  サーボ制御部
２２  データ変復調部
２３  ＥＣＣ回路
２４  ＥＣＣ用メモリ
２５  記録再生バッファ
２６  入力端子
２７  出力端子
２８  アンテナ
２９  ＴＶチューナ
３０  圧縮伸張回路
３１  システムコントロールマイコン
４０  操作部
４１  再生キー
４２  停止キー
４３  一時停止キー
４４  早送りキー
４５  早戻しキー
４６  次ステップキー
４７  前ステップキー
４８  録画キー
４９  エンドレビューキー
５０  表示部
【図１】
2006294125.tif 000003
【図２】
2006294125.tif 000004
【図３】
2006294125.tif 000005
【図４】
2006294125.tif 000006
【図５】
2006294125.tif 000007